(57)【要約】【課題】使い勝手が良好なシャワー装置の提供を目的とする。【解決手段】シャワーヘッド１への給水管２を挿通させて上下方向に延びる手摺杆３と、  手摺杆３の上端から延設され、手摺杆３の中心線Ｃを回転中心として回転操作可能な操作用笠木部４とを有し、  前記操作用笠木部４に、シャワーヘッド１を保持するシャワーフック５を形成して構成する。【選択図】  図１
2005248488.tif 000002
【特許請求の範囲】
【請求項１】
シャワーヘッドへの給水管を挿通させて上下方向に延びる手摺杆と、
手摺杆の上端から延設され、手摺杆の中心線を回転中心として回転操作可能な操作用笠木部とを有し、
前記操作用笠木部には、シャワーヘッドを保持するシャワーフックが形成されるシャワー装置。
【請求項２】
前記操作用笠木部は適宜回転位置で停止可能であり、かつ、シャワーフックには、シャワーヘッドの空転を防止する空転防止機構が設けられる請求項１記載のシャワー装置。
【請求項３】
前記操作用笠木部は、手摺杆の上端を壁面に固定するブラケットと手摺杆上端とに固定される回転機構を介して手摺杆上端に連結される請求項１または２記載のシャワー装置。
【請求項４】
前記回転機構は、操作用笠木部の下端に嵌合固定される上部構成部と、
この上部構成部に対して相対回転自在で、ブラケットへの固定片及び手摺杆の上端開口への嵌合固定部を備えた下部構成部とを有し、
かつ、前記ブラケットは、前記手摺杆の取付部、回転機構の固定片の取付部及び壁面への取付部が外部に開放されるベースブラケットと、
ベースブラケットに連結されて前記取付部を覆い隠すカバーブラケットとを有して構成される請求項３記載のシャワー装置。
【発明の詳細な説明】
【技術分野】
【０００１】
本発明は、シャワー装置に関するものである。
【背景技術】
【０００２】
浴室等に設置されるシャワーヘッドへの給水管を手摺杆に挿通させたシャワー装置としては、特許文献１に記載されたものが知られている。この従来例において、給水管が挿通する手摺杆は下端が浴室の洗い場カウンター等に、上端が浴室の壁面に固定される。手摺杆の上端を壁面に固定するブラケットには、シャワーヘッドを保持するためのフック部が一体形成されており、別途壁面にフック部を取り付ける手間が省かれる。
【特許文献１】特開平１１-１７２７２９号公報
【発明の開示】
【発明が解決しようとする課題】
【０００３】
しかし、上述した従来例において、シャワーヘッドからの散水方向を調整するためには、一旦シャワーヘッドをフック部から取り外し、フック部に対するシャワーヘッドの保持角度を調整する必要があり、使い勝手が悪いという欠点がある。
【０００４】
本発明は、以上の欠点を解消すべくなされたものであって、使い勝手が良好なシャワー装置の提供を目的とする。
【課題を解決するための手段】
【０００５】
本発明によれば上記目的は、
シャワーヘッド１への給水管２を挿通させて上下方向に延びる手摺杆３と、
手摺杆３の上端から延設され、手摺杆３の中心線Ｃを回転中心として回転操作可能な操作用笠木部４とを有し、
前記操作用笠木部４には、シャワーヘッド１を保持するシャワーフック５が形成されるシャワー装置を提供することにより達成される。
【０００６】
本発明において、シャワーヘッド１を保持するためのシャワーフック５は、手摺杆３に対して回転操作可能な操作用笠木部４に設けられる。シャワーフック５の手摺杆３に対する相対回転を可能にすることにより、シャワーフック５からシャワーヘッド１を取り外すことなく、シャワーフック５を回転させるだけで散水方向を変更することができ、使い勝手が向上する。
【０００７】
また、所定長を有して手摺杆３から上方に延長される操作用笠木部４にシャワーフック５を設けることにより、操作用笠木部４のいずれかを握ってシャワーフック５の方向変更を行うことができる。この結果、例えば、シャワーフック５のみを回転可能とする場合に比して、操作可能範囲が広くなって操作性が向上する上に、操作用笠木部４も手摺杆３の延長部として身体を支える機能を発揮させることができるために、手摺としての機能も向上させることができる。この場合、操作用笠木部４の上端は、自由端とする以外に、壁面に回転自在に支承させて両端支持状態とすることもできる。
【０００８】
さらに、シャワー装置は、
操作用笠木部４を適宜回転位置で停止可能とし、かつ、シャワーフック５には、シャワーヘッド１の空転を防止する空転防止機構６を設けるように構成することができる。
【０００９】
このように構成することにより、シャワーヘッド１からの噴水方向は、操作用笠木部４の回転角度だけで制御可能で、使い勝手がより向上する。空転防止機構６は、水圧で不用意にシャワーヘッド１がシャワーフック５に対して空転しない程度の拘束力をシャワーヘッド１に付与することができれば足り、例えば、シャワーヘッド１への接触圧力を高めるための押圧突起のようなものでもよいが、シャワーヘッド１に形成された凹凸に嵌合してシャワーヘッド１の空転を完全に防止する凹凸として構成することもできる。
【００１０】
上述したように、操作用笠木部４の上端は、自由端とする以外に、壁面に回転自在に支承させて両端支持状態とすることもできるが、自由端とする場合には、
手摺杆３の上端を壁面７に固定するブラケット８と手摺杆３上端とに固定される回転機構９を介して手摺杆３上端に連結するように構成することにより、強度を高めることができる。
【００１１】
さらに、シャワー装置は、
前記回転機構９は、操作用笠木部４の下端に嵌合固定される上部構成部１０と、
この上部構成部１０に対して相対回転自在で、ブラケット８への固定片１１及び手摺杆３の上端開口１２への嵌合固定部１３を備えた下部構成部１４とを有し、
かつ、前記ブラケット８は、前記手摺杆３の取付部１５、回転機構９の固定片１１の取付部１６及び壁面７への取付部１７が外部に開放されるベースブラケット１８と、
ベースブラケット１８に連結されて前記取付部１５、１６、１７を覆い隠すカバーブラケット１９とを有して構成することができる。
【００１２】
この場合、操作用笠木部４の下端には回転機構９が予め固定され、手摺杆３は、壁面７に固定されたベースブラケット１８に固定される。ベースブラケット１８には、ねじ締め付け操作等の固定操作が可能な固定片１１の取付部１６が設けられており、かつ、手摺杆３は上端開口１２が上方に向けて露出しているために、ベースブラケット１８への固定に際し、回転機構９の下部構成部１４を手摺杆３の上端開口１２に嵌合、固定し、さらに、固定片１１をベースブラケット１８に固定することにより、操作用笠木部４の連結作業が完了する。また、操作用笠木部４を連結し、手摺杆３をベースブラケット１８に固定した後、カバーブラケット１９を取り付けると、連結部が外部に露出することなく、美観が高められる。
【発明の効果】
【００１３】
以上の説明から明らかなように、本発明によれば、シャワーヘッドをシャワーフックから取り外すことなく散水方向を調整することができ、使い勝手が良好なシャワー装置を提供することができる。
【００１４】
また、手摺杆とブラケットにシャワーフックの回転機構を連結すればシャワーフックの支持強度を高めることができ、さらに、手摺杆の取付部、回転機構の取付部、壁面への取付部を外部に開放するベースブラケットを設けた場合には、作業性を向上させることができる。
【発明を実施するための最良の形態】
【００１５】
図１に本発明の実施の形態を示す。この実施の形態において、シャワー装置は、図外の浴槽に出入りする際などに身体を支える支えとして使用される手摺装置Ａの上部からシャワーホース２２を引き出して形成され、手摺装置Ａの上部には、シャワーフック５が形成された操作用補助手摺（操作用笠木部４）が回転操作自在に連結される。
【００１６】
手摺装置Ａは、図１に示すように、上下方向にやや弧を描くようにして配置される手摺杆３を有し、下端部が浴室のカウンタＢに、上端部が浴室の壁面７にそれぞれ固定される。手摺杆３は、図２に示すように、ステンレス製の中空パイプ材であり、内部には銅管からなる給水管２が挿通される。この手摺杆３の下端部はカウンタＢ内に挿入されて図示しない固定具によりカウンタＢに固定され、給水管２は、下端をカウンタＢ内に収容される図示しない配管部に連結される。
【００１７】
また、手摺装置Ａは、手摺杆３を縦姿勢に配置するとともに、給水管２の上端部を固定するために、上端部にステンレスからなるブラケット８を備える。ブラケット８は、図２に示すように、壁面７に沿う板状の取付基部１８ａから延設部１８ｂを延設して形成されるベースブラケット１８と、ベースブラケット１８に着脱可能に連結されるカバーブラケット１９とからなり、取付部１７において壁面７に固定される。この壁面７への取付部１７は、壁面取付ねじ１７ａと、上記ベースブラケット１８の取付基部１８ａに開設される貫通孔１７ｂにより構成され、壁面７の正面方向から取付作業が可能な位置、すなわち浴室側から壁面取付ねじ１７ａを貫通孔１７ｂに螺入することができる位置に配置される。
【００１８】
延設部１８ｂは、取付基部１８ａの下端から壁面７に対して略直交方向に突出して形成され、突出先端部に下方に延びる取付用曲片２３を備える。取付用曲片２３は、正面方向が開放された略Ｕ字状の断面形状をなし、その外周面には、手摺杆３の内周面に当接するための曲率断面を有する突き当て面２３ａが形成される。
【００１９】
手摺杆３をベースブラケット１８に固定するための取付部１５は、手摺杆取付ねじ１５ａと、上記取付用曲片２３に開設される貫通孔１５ｂと、手摺杆３に開設される取付開口１５ｃとを備え、手摺杆３の内周壁３ａに取付用曲片２３の突き当て面２３ａを当接、係合させた状態で、背面側から手摺杆取付ねじ１５ａにより取付用曲片２３を手摺杆３にねじ止めして構成される。
【００２０】
また、取付用曲片２３の下方には、一側方に開放する断面略Ｃ字形状の給水管保持片１８ｃが延設部１８ｂから下方に突設して形成される。この給水管保持片１８ｃの内周壁には給水管２を水平方向に支承するための曲率断面を有する突き当て面２４が形成され、給水管保持片１８ｃの背面側には、壁面７に対し、後述するシャワーホース２２の配設、旋回スペースを確保できる程度の間隔が設定される。
【００２１】
一方、給水管２は、図２に示すように、ブラケット８側端部を背面側に屈曲させて形成され、その先端部には、ブラケット８への固定用フランジ２５ａが突設されたジョイント２５が固定される。前述した手摺杆３の上端には周方向の一部を切り欠いて背面側に給水管２を挿通可能な幅寸法を有する給水管挿通開口３ｂが形成され、給水管２は、この給水管挿通開口３ｂを通って手摺杆３の背面側に引き出され、給水管保持片１８ｃの開口部に挿通されて固定用フランジ２５ａが上記延設部１８ｂにねじ止めされることによりベースブラケット１８に固定される。なお、給水管２の取付部２６は、給水管取付ねじ２６ａと、給水管保持片１８ｃに形成される取付開口２６ｂと、上記固定用フランジ２５ａに開設される貫通孔とを有し、手摺杆３の取付部１５と同様にブラケット８に対して背面側からねじ止めすることにより構成される。
【００２２】
カバーブラケット１９は、図２および図５に示すように、ベースブラケット１８の両側面および下面をほぼ全域に渡って覆う本体カバー２７と、上面をほぼ全域に渡って覆う上部カバー２８とを有する。本体カバー２７は、底壁の両側縁から一対の側壁を立設させて正背面、および上面が開放する断面略倒コ字状に形成され、給水管保持片１８ｃ近傍を覆う手摺杆側底壁２７ａと、この手摺杆側底壁２７ａよりもやや上方に形成されてベースブラケット１８の壁面７近傍を覆う壁面側底壁２７ｂとを備える。ベースブラケット１８への取付は、手摺杆側底壁２７ａに開設される貫通孔２９に下方から本体カバー取付ねじ３０をねじ込むことにより行われ、取付状態において、正面側は手摺杆３および操作用補助手摺４に、背面側は壁面７により閉塞され、手摺杆側底壁２７ａと壁面側底壁２７ｂの間には上記ジョイント２５に接続されるホースカプラ３１が挿通可能な段差が形成される。なお、図２および図５において給水管保持片１８ｃの下端から略水平方向に延設される３２は、本体カバー取付ねじ３０がねじ込まれるねじ受け片である。
【００２３】
また、上部カバー２８は、天井壁から下方にボス２８ａを突出させて断面Ｔ字状に形成される。上記延設部１８ｂには上方に開放する凹部３３が設けられ、上部カバー２８は、操作用補助手摺４に沿って下方にスライドされることによりボス２８ａの下端を凹部３３に嵌合させてベースブラケット１８に組み込まれ、この状態でボス２８ａに対して上記壁面側底面２７ｂ、凹部３３底面を貫通して下方から上部カバー取付ねじ３４がねじ込まれることによりベースブラケット１８との分離が防止される。この状態で前述した手摺杆取付ねじ１５ａ、壁面取付ねじ１７ａ、給水管取付ねじ２６ａはいずれもカバーブラケット１９に覆われ、本体カバー取付ねじ３０や上部カバー取付ねじ３４の頭部は下面側に位置するためにブラケット８の美観が高められる。
【００２４】
一方、操作用補助手摺４は、上記手摺杆３と同径のステンレス製の中空パイプ材からなり、手摺杆３の延長線上に沿うようにやや傾斜して形成される。この操作用補助手摺４には、上述したように上部にシャワーフック５が固定され、下部の回転機構９を介してブラケット８に固定することにより、シャワーヘッド１を手摺装置Ａの上方に着脱自在に自在に保持する。
【００２５】
シャワーフック５は、図５に示すように、背面方向に開放する略Ｃ字状で、内周面に操作用補助手摺４の外周壁に嵌合する曲率断面を有する突き当て面３５ａが形成された補助手摺固定部３５と、正面方向に開放する略Ｃ字状で、内周壁にシャワーヘッド１の外表面に嵌合する吊り下げ面３６ａが形成されたフック部３６とを有する。この吊り下げ面３６ａは、フック部３６の中空部にシャワーヘッド１を挿入しやすくするとともに、挿入されたシャワーヘッド１をしっかりと保持できるように、図４（ａ）に示すように、フック部３６下端から漸次壁面７と離隔しながら上方に延びる傾斜状に形成されるとともに、上方に向かって放射状に拡径して形成される。なお、図４（ａ）に示す３７はシャワーヘッド１のシャワーホース２２との連結基端部等に係止する係止部である。このシャワーフック５は、図５（ａ）および（ｃ）に示すように、フック固定ねじ３９を操作用補助手摺４にねじ込むことにより固定され、この固定作業を正面側からできるようにするとともに、後述するゴムキャップ（空転防止機構６）を同じく正面側から嵌合係止させてフック部３６に対するシャワーヘッド１の空転を防止するために、補助手摺固定部３５の突き当て面３５ａとフック部３６の吊り下げ面３６ａに連通してフック固定ねじ挿通孔３８が穿孔される。
【００２６】
図５（ａ）に示すように、フック固定ねじ挿通孔３８は、フック固定ねじ３９の頭部が係止する被係止部を補助手摺固定部３５近傍に備えるとともに、ゴムキャップ６の段部６ａが係止する段部受け部３８ａをフック部３６近傍に備える。フック固定ねじ３９は、フック固定ねじ挿通孔３８に挿入されて操作用補助手摺４に螺入されることにより、頭部を被係止部に係止させてシャワーフック５を操作用補助手摺４に固定する。一方ゴムキャップ６は、上記フック固定ねじ３９によるシャワーフック５の固定作業が終わった後にフック固定ねじ挿通孔３８に挿入され、段部６ａが段部受け部３８ａに係止することにより補助手摺固定部３５側への移動が規制されてその頭部６ｂをフック部３６の吊り下げ面３６ａから正面側に突出させる。このゴムキャップ６は、フック固定ねじ挿通孔３８への挿入により該フック固定ネジ挿通孔３９に嵌合係止する嵌合係止部６ｃを挿入先端に備え、吊り下げ面３６ａの高さ方向におけるほぼ中間部から正面側に向かって半球形状の頭部６ａを突出させる。
【００２７】
したがって、フック部３６の中空部に挿入されたシャワーヘッド１は、吊り下げ面３６ａに正面側を除く周囲をガイドされて自重により下方に移動し、この際、図５（ｂ）に示すようにゴムキャップ６頭部６ａの球面により背面を正面側に押圧されてフック部３６に対する空転を防止して保持される。なお、シャワーヘッド１はメーカによって形状や大きさが異なるために、ゴムキャップ６は、使用するシャワーヘッド１に応じて適宜大きさ、形状のものに変更される。
【００２８】
また、シャワーフック５が固定された操作用補助手摺４を手摺装置Ａの上部に回転自在に連結するために、操作用補助手摺４の下端には回転機構９が取り付けられる。回転機構９は、図３（ａ）に示すように、操作用補助手摺４および手摺杆３の内部に収容可能な円柱形状のステンレスからなる上部円柱部（上部構成部１０）と下部円柱部（下部構成部１４）とを備え、これらを上下に重ねてボルト４０ナット４１で空転自在に連結することにより形成される。図２および図３に示すように、回転機構９は、操作用補助手摺４と上部円柱部１０に上部円柱部取付ねじ４２をねじ込むことにより操作用補助手摺４に固定され、この状態で下部円柱部１４は操作用補助手摺４の中心線Ｃを回転中心として操作用補助手摺４に対して回転自在に連結される。なお、図３に示す４３、および４４は、摺動性を高めるためにポリアセタール等の合成樹脂を射出成型して形成されるスペーサ、および平ワッシャであり、平ワッシャは上下を平座金４５に挟まれることで保護される。また、４６はばね座金である。
【００２９】
以上の回転機構９は、取付部１６によりベースブラケット１８に固定されて手摺装置Ａに連結される。下部円柱部１４の下部（嵌合固定部１３）には鉛直方向に貫通孔１６ｂが開設された固定片１１が水平方向に突出して設けられ、ブラケットへの固定片１１の取付部１６は、回転機構取付ねじ１６ａと、上記貫通孔１６ｂと、延設部１８ｂ上面に開設されるねじ孔１６ｃとにより構成され、回転機構取付ねじ１６ａにより固定片１１をベースブラケット１８の上面にねじ止めすることにより、上方からの固定作業を可能に配置される。取り付けの際には、手摺杆３の上方から操作用補助手摺４を下ろして下部円柱部１４の下部１３を手摺杆３の上端開口１２に嵌入させるとともに、固定片１１を手摺杆３の給水管挿通開口３ｂにはめ込むことにより位置決めすることができ、ベースブラケット１８にねじ込まれる回転機孔取付ねじ１６ａや、手摺杆３と操作用補助手摺４の連結部はこの後ベースブラケット１８に装着されるカバーブラケット１９により覆われるために外観を損ねることはない。したがってこの状態において、下部円柱部１４は手摺杆３の中心線Ｃを回転中心として上部円柱部１０に連結されてベースブラケット１８に固定され、操作用補助手摺４は、上部円柱部１０と下部円柱部１４の回転により手摺杆３の中心線Ｃを回転中心として回転自在に手摺装置Ａに連結される。なお、図２および図３において４７は、浸水防止のためのパッキンである。
【００３０】
また、上記回転機構９には、操作用補助手摺４の手摺装置Ａに対する回転範囲を操作に適した範囲に規制するために回転範囲規制手段４８が、回転操作性を高めるために停止手段４９が設けられる。
【００３１】
回転範囲規制手段４８は、上部円柱部１０の下面に形成されるガイド溝４８ａと、下部円柱部１４の上面から上方に突出するガイド突起４８ｂとを有し、ガイド突起４８ｂをガイド溝４８ａに合わせた状態で上部円柱部１０と下部円柱部１４を重ねることにより形成される。図３（ａ）に示すように、ガイド溝４８ａは回転機構９の回転中心を中心とする略９０度の範囲を円弧状に彫り込むことにより形成され、ガイド突起４８ｂは、円柱状に形成されて先端部をガイド溝４８ａに挿入され、側壁を摺接させてガイド溝４８ａに沿って円弧状に移動可能に連結される。
【００３２】
したがって、操作用補助手摺４は、ガイド溝４８ａに対するガイド突起４８ｂの摺動により、手摺杆３に対して９０度の範囲で回転自在に連結され、操作用補助手摺４が手摺杆３の延長線上に沿う基準位置においてガイド突起４８ｂがガイド溝４８ａの中央部に位置するようにした場合には、この基準位置から左右に４５度の範囲内で回転自在に連結される。なお、図３（ａ）および（ｂ）に示すように、上述した上部円柱部１０および下部円柱部１４にはボルト４０を挿通するための貫通孔１０ａ、１４ａが、スペーサ４３には、ボルト４０を挿通するための貫通孔４３ａ、およびガイド突起４８ｂを挿通させるためにガイド突起挿通孔４３ｂが開設される。
【００３３】
停止手段４９は、上部円柱部１０の下面に形成される複数の半球状凹部４９ａと、下部円柱部１４に収容されるボールプランジャ４９ｂとを有する。図３（ｂ）に示すように、上部円柱部１０には、上記ガイド溝４８ａの両端部および中央部に対して下部円柱部１４との回転中心で点対称の位置にそれぞれ半球状凹部４９ａ、４９ａ、４９ａが形成され、下部円柱部１４には、上記ガイド突起４８ｂに対して上部円柱部１０との回転中心で点対称の位置にねじ孔１４ａが上下に貫通して設けられて半球状凹部４９ａに嵌合可能なボール５０を備えたボールプランジャ４９ｂが固定される。ボールプランジャ４９ｂは、図３（ｂ）に示すように、先端に配置されるボール５０を内部のバネ５１で付勢して形成され、側壁に図示しないネジ溝が、後端部に六角穴５２が設けられる。したがって、図外の六角レンチ等により下部円柱部１４の下方からボールプランジャ４９ｂをねじ孔１４ａにねじ込み、上部円柱部１０と下部円柱部１４の回転位置を合わせることにより、ボールプランジャ４９ｂのボール５０を半球状凹部４９ａのいずれかに嵌合させることができる。なお、図３（ａ）および（ｂ）に示すように、ボール５０を半球状凹部４９ａに嵌合させるために、スペーサ４３にはボール挿通孔４３ｃが開設される。
【００３４】
これにより、ガイド突起４８ｂがガイド溝４８ａの中央部に配置される回転位置、すなわち操作用補助手摺４が上記基準位置をとるときには、このガイド突起４８ｂに回転中心を挟んで対抗する中央部の半球状凹部４９ａにボール５０が嵌合し（図４（ｃ）参照）、バネ５１による抵抗により、操作用補助手摺４は、散水時の水圧等によっては基準位置から妄りに回転することはない。また、この状態からバネ５１の付勢力に抗して操作用補助手摺４を回転させれば、ボール５０はバネ５１を縮めることにより半球状凹部４９ａから一旦退避し、この後、他の半球状凹部４９ａに面したとき（図４（ｂ）および（ｃ）参照）に再度突出して操作用補助手摺４を散水力等に抗して当該位置に保持する。上述したようにシャワーヘッド１はシャワーフック５に空転を防止した状態で保持されるために、シャワー装置の利用者は、手摺杆３を伝って操作用補助手摺４を掴み、これを回すことにより、シャワーヘッド１をシャワーフック５から取り外すことなく、図４（ａ）に示すように、シャワーヘッド１からの散水方向を３方向のいずれかに簡単に設定することができる。
【００３５】
以上のように構成されるシャワー装置の施工手順を以下に説明する。シャワー装置は、工場等において予め適宜組み立ててから施工現場に搬入することが可能であり、組立は、先ず、給水管２のジョイント２５をブラケット８本体に固定した後、ジョイント２５にホースカプラ３１を連結して行われる。この後、手摺杆３に給水管２を挿通させ、手摺杆３とベースブラケット１８とを連結、固定する。上述したように、手摺杆３の取付部１５および給水管２への取付部２６は共に背面側からの作業となるために、組立効率が高められる。また、操作用補助手摺４にはシャワーフック５、および回転機構９が固定される。
【００３６】
この状態で施工現場に搬送されたシャワー装置は、先ず、カウンタＢに手摺杆３を挿通し、所定の高さでベースブラケット１８を壁面７に固定する。図２および図６に示すように、壁面７とベースブラケット１８との間にはパッキン５３が介装され、壁面取付ネジ１７ａへの着水が防止される。上述したように、ベースブラケット１８は、カバーブラケット１９が装着されていない状態で壁面７への取付部１７について正面側からの作業が可能に形成されているために、壁面７への固定作業は簡単に行うことができる。
【００３７】
このようにしてベースブラケット１８を壁面７に固定した後、手摺杆３をカウンタＢに適宜固定し、さらに、給水管２をカウンタＢ内の配管部に連結して手摺装置Ａを固定し、この後、手摺装置Ａに対して操作用補助手摺４を連結する。手摺装置Ａへの操作用補助手摺４の取付は、図６に示すように、操作用補助手摺４を下方に下げて手摺杆３の上端開口１２に回転機構９を嵌合させた後、ベースブラケット１８に上方から回転機構取付ねじ１６ａを止めることにより行われるために、共に上方からの作業となることから、簡単に行うことができる。
【００３８】
最後にベースブラケット１８にカバーブラケット１９を装着することにより施工作業は終了する。このカバーブラケット１９の装着についても、上述したように本体カバー取付ねじ３０や上部カバー取付ねじ３４を共に下方からネジ止めする作業となるために、手間はかからない。
【００３９】
施工完了状態において、操作用補助手摺４は、基準位置にすることで手摺杆３と意匠的に一体的になり、外観を高めることができる。また、手摺杆３、ブラケット８、操作用補助手摺４はステンレスで製造されるために、長期の使用により、あるいは仮に浸水等が生じた場合であっても、錆びることはない。なお、ホースカプラ３１をジョイント２５に対して壁面７に直交する軸周りに回転自在にしておくと、使い勝手が向上する。また、使用により固定状態に不具合が発生した場合には、カバーブラケット１９を取り外すだけで、ジョイント２５とホースカプラ３１の連結部、手摺杆３と操作用補助手摺４の連結部、固定片の取付部１６、給水管２の取付部２６、手摺杆３の取付部１５、壁面７への取付部１７、および上部円柱部取付ねじ４２を確認することができ、必要な場合には、手摺杆３、ブラケット８、操作用補助手摺４等の交換、撤去を簡単に行うことができる。
【００４０】
なお、以上においては、浴室に形成されるカウンタＢを利用して手摺装置Ａを固定する場合を示したが、カウンタＢを手摺装置Ａ、すなわちシャワー装置の一部として構成することも可能である。
【図面の簡単な説明】
【００４１】
【図１】本発明を示す側面図である。
【図２】ブラケットと操作用補助手摺等の連結状態を示す要部断面図である。
【図３】回転機構を示す図で、（ａ）は分解斜視図、（ ｂ）は要部断面図である。
【図４】操作用補助手摺の回転状態を説明する図で、（ａ）はシャワー装置の平面図、（ｂ）は操作用補助手摺を左に回したときの回転機構の説明図、（ｃ）は基準位置における回転機構の説明図、（ｄ）は操作用補助手摺を右に回したときの回転機構の説明図である。
【図５】シャワーフックを説明する図で、（ａ）は要部断面図、（ｂ）はフック部を示す図で（ａ）における５Ｂ矢視図、補助手摺固定部を示す平面図である。
【図６】シャワー装置の組立方法を説明する要部分解図である。
【符号の説明】
【００４２】
１  シャワーヘッド
２  給水管
３  手摺杆
４  操作用笠木部
５  シャワーフック
６  空転防止機構
７  壁面
８  ブラケット
９  回転機構
１０  上部構成部
１１  固定片
１２  上端開口
１３  嵌合固定部
１４  下部構成部
１５  手摺杆の取付部
１６  固定片の取付部
１７  壁面への取付部
１８  ベースブラケット
１９  カバーブラケット
Ｃ  手摺杆の中心線
【図１】
2005248488.tif 000003
【図２】
2005248488.tif 000004
【図３】
2005248488.tif 000005
【図４】
2005248488.tif 000006
【図５】
2005248488.tif 000007
【図６】
2005248488.tif 000008